(57)【特許請求の範囲】
【請求項１】
（ａ）幅方向に延在する前枠部及び後枠部と、前記前枠部の両端と前記後枠部の両端とを連結する一対の側枠部とを含み、端子配設面に配設された端子部材を備えるカードの側面を囲繞するカード保持部材であって、
（ｂ）金属部と樹脂部とを含み、
（ｃ）前記金属部は、金属から成る板材から一体的に形成された部材であり、前記樹脂部は、前記一対の側枠部においては前記金属部の周囲の一部を被覆した状態で該金属部と一体化し、前記前枠部においては前記金属部の下面を被覆した状態で前記前枠部の全範囲に亘って存在し、
（ｄ）前記前枠部の前端には前記金属部の少なくとも一部が露出することを特徴とするカード保持部材。
【請求項２】
前記金属部は、前記側枠部の外側面の少なくとも一部に露出する側壁段差部を含む請求項１に記載のカード保持部材。
【請求項３】
前記カードの端子配設面の少なくとも一部を支持するカード支持部を含み、前記金属部は、前記カードの端子配設面及び前記側面の下端近傍と接触しない請求項１又は２に記載のカード保持部材。
【請求項４】
前記金属部は略矩形の枠部材である請求項１〜３のいずれか１項に記載のカード保持部材。
【請求項５】
複数のカードを収容可能である請求項１〜４のいずれか１項に記載のカード保持部材。
【請求項６】
請求項１〜５のいずれか１項に記載のカード保持部材を挿入可能であるカード用コネクタであって、
前記前枠部に当接可能なイジェクトレバーと、前記側枠部を保持する保持部材とを備えるカード用コネクタ。
【発明の詳細な説明】
【技術分野】
【０００１】
本発明は、カード保持部材及びカード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  ｃａｒｄ）、メモリスティック（Ｒ）、メモリスティックＤｕｏ（Ｒ）、スマートメディア（Ｒ）、Ｔｒａｎｓ−Ｆｌａｓｈ（Ｒ）メモリカード、マイクロＳＤ（Ｒ）カード等の各種カードを利用するために、カード用コネクタを備えている。
【０００３】
近年、電子機器の急速な小型化に伴って、カード及びカード用コネクタは、急速に小型化される傾向にある。そのため、ユーザが手指によってカードを把持したり、カード用コネクタに適切に挿入したりすることが困難である。そこで、カードをあらかじめカード用トレイにセットしておき、該カード用トレイを挿入するカード用コネクタが提案されている（例えば、特許文献１参照。）。
【０００４】
図１９は従来のカード用トレイを示す図である。
【０００５】
図において、９６１は、カード用トレイであり、図示されないカードが内部に装填（てん）された状態で、図示されないカード用コネクタに収容される。前記カード用トレイ９６１は、金属から成る底板９６２と、該底板９６２の両縁を曲げた部分に樹脂を成形した側壁９６４とを有する。
【０００６】
また、各側壁９６４には、第１及び第２の凹部９６８ａ及び９６８ｂが形成されている。前記カード用トレイ９６１は、前記第１及び第２の凹部９６８ａ及び９６８ｂがカード用コネクタが備える金属から成る押圧片と係合することによって、カード用コネクタ内の所定の位置に保持される。
【０００７】
なお、前記カードは、例えば、ＳＩＭカードであって、一方の面に露出するように形成された電極パッドを備え、他方の面が前記底板９６２に対向するような姿勢で、前記カード用トレイ９６１の内部に装填される。
【先行技術文献】
【特許文献】
【０００８】
【特許文献１】特表２０１１−５１９４６４号公報
【発明の概要】
【発明が解決しようとする課題】
【０００９】
しかしながら、前記従来のカード用トレイ９６１においては、側壁９６４の内側の部分に金属から成る底板９６２の両縁を曲げた部分が露出しているので、カード本体の周縁に電極パッドの一部が露出したカードを装填した場合に、電極パッドの一部が接触して短絡が生じる可能性がある。マイクロＳＩＭ（ｍｉｃｒｏＳＩＭ）カードのように極めて小型のカードでは、電極パッドが一方の面の全面に亘（わた）って形成され、その周縁がカード本体の周縁に露出しているものがある。
【００１０】
また、側壁９６４の第１及び第２の凹部９６８ａ及び９６８ｂを含む部分が樹脂から成るので、カード用コネクタへのカード用トレイ９６１の挿入及び抜取りが繰返されると、前記カード用コネクタが備える金属から成る押圧片と当接及び摺（しゅう）動が繰返されることによって、前記側壁９６４の樹脂の部分が摩滅してしまう。
【００１１】
本発明は、前記従来の問題点を解決して、短絡が生じることがなく、摩滅したり損傷を受けることがなく、取扱いが容易で、信頼性の高いカード保持部材及びカード用コネクタを提供することを目的とする。
【課題を解決するための手段】
【００１２】
そのために、本発明のカード保持部材においては、幅方向に延在する前枠部及び後枠部と、前記前枠部の両端と前記後枠部の両端とを連結する一対の側枠部とを含み、端子配設面に配設された端子部材を備えるカードの側面を囲繞（にょう）するカード保持部材であって、金属部と樹脂部とを含み、前記金属部は、金属から成る板材から一体的に形成された部材であり、前記樹脂部は、前記一対の側枠部においては前記金属部の周囲の一部を被覆した状態で該金属部と一体化し、前記前枠部においては前記金属部の下面を被覆した状態で前記前枠部の全範囲に亘って存在し、前記前枠部の前端には前記金属部の少なくとも一部が露出する。
【００１３】
本発明の他のカード保持部材においては、さらに、前記金属部は、前記側枠部の外側面の少なくとも一部に露出する側壁段差部を含む。
【００１５】
本発明の更に他のカード保持部材においては、さらに、前記カードの端子配設面の少なくとも一部を支持するカード支持部を含み、前記金属部は、前記カードの端子配設面及び前記側面の下端近傍と接触しない。
【００１６】
本発明の更に他のカード保持部材においては、さらに、前記金属部は略矩（く）形の枠部材である。
【００２１】
本発明の更に他のカード保持部材においては、さらに、複数のカードを収容可能である。
【００２２】
本発明のカード用コネクタにおいては、本発明のカード保持部材を挿入可能であるカード用コネクタであって、前記前枠部に当接可能なイジェクトレバーと、前記側枠部を保持する保持部材とを備える。
【発明の効果】
【００２３】
本発明によれば、カード保持部材は、短絡が生じることがなく、摩滅したり損傷を受けることがなく、取扱いが容易で、高い信頼性を得ることができる。
【図面の簡単な説明】
【００２４】
【図１】本発明の第１の実施の形態におけるカード用トレイの使用状態を示す斜視図であって、（ａ）はカードを収容してカード用コネクタに挿入された状態を示す図、（ｂ）はカードを収容せずにカード用コネクタに挿入された状態を示す図である。
【図２】本発明の第１の実施の形態におけるカード用トレイの斜視図であって、（ａ）は後方斜め上から観た図、（ｂ）は後方斜め下から観た図である。
【図３】本発明の第１の実施の形態におけるカード用トレイの三面図であって、（ａ）は上面図、（ｂ）は後面図、（ｃ）は側面図である。
【図４】本発明の第１の実施の形態におけるカード用トレイの金属部を示す斜視図であって、（ａ）は後方斜め上から観た図、（ｂ）は後方斜め下から観た図である。
【図４Ａ】本発明の第１の実施の形態におけるカード用トレイの金属部の変形例を示す斜視図であって、（ａ）は後方斜め上から観た図、（ｂ）は後方斜め下から観た図である。
【図５】本発明の第１の実施の形態におけるカード用トレイの金属部に樹脂を被覆した状態を示す斜視図であって、（ａ）は後方斜め上から観た図、（ｂ）は後方斜め下から観た図である。
【図６】本発明の第１の実施の形態におけるカード用コネクタの斜視図であって、（ａ）はシェルを取付けた状態を示す図、（ｂ）はシェルを取外した状態を示す図である。
【図７】本発明の第２の実施の形態におけるカード用トレイの使用状態を示す斜視図であって、（ａ）はカードを収容してカード用コネクタに挿入された状態を示す図、（ｂ）はカードを収容せずにカード用コネクタに挿入された状態を示す図である。
【図８】本発明の第２の実施の形態におけるカード用トレイの斜視図であって、（ａ）は前方斜め上から観た図、（ｂ）は前方斜め下から観た図である。
【図９】本発明の第２の実施の形態におけるカード用トレイの金属部に樹脂を被覆することを説明する斜視図であって、（ａ）は金属部のみを示す図、（ｂ）は金属部に樹脂を被覆した状態を示す図である。
【図１０】本発明の第２の実施の形態におけるカード用コネクタの斜視図であって、（ａ）はシェルを取付けた状態を示す図、（ｂ）はシェルを取外した状態を示す図である。
【図１１】本発明の第３の実施の形態におけるカード用トレイの使用状態を示す斜視図であって、（ａ）はカードを収容してカード用コネクタに挿入された状態を示す図、（ｂ）はカードを収容せずにカード用コネクタに挿入された状態を示す図である。
【図１２】本発明の第３の実施の形態におけるカード用トレイの斜視図であって、（ａ）は前方斜め上から観た図、（ｂ）は前方斜め下から観た図である。
【図１３】本発明の第３の実施の形態におけるカード用トレイの金属部に樹脂を被覆することを説明する斜視図であって、（ａ）は金属部のみを示す図、（ｂ）は金属部に樹脂を被覆した状態を示す図である。
【図１４】本発明の第４の実施の形態におけるカード用トレイの使用状態を示す斜視図であって、（ａ）はカード用コネクタに挿入された状態を示す図、（ｂ）はカード用コネクタに挿入される前の状態を示す図である。
【図１５】本発明の第４の実施の形態におけるカード用トレイの斜視図であって、（ａ）は前方斜め上から観た図、（ｂ）は後方斜め下から観た図である。
【図１６】本発明の第４の実施の形態におけるカード用トレイとカードとの関係を示す分解図である。
【図１６Ａ】本発明の第４の実施の形態におけるカード用トレイの金属部の変形例を示す斜視図である。
【図１７】本発明の第４の実施の形態におけるカード用トレイのカードを収容した状態を示す斜視図であって、（ａ）は異なる種類の２枚のカードを収容した状態を示す図、（ｂ）は同じ種類の２枚のカードを収容した状態を示す図である。
【図１８】本発明の第４の実施の形態におけるカード用コネクタの分解図である。
【図１９】従来のカード用トレイを示す図である。
【発明を実施するための形態】
【００２５】
以下、本発明の実施の形態について図面を参照しながら詳細に説明する。
【００２６】
図１は本発明の第１の実施の形態におけるカード用トレイの使用状態を示す斜視図、図２は本発明の第１の実施の形態におけるカード用トレイの斜視図、図３は本発明の第１の実施の形態におけるカード用トレイの三面図、図４は本発明の第１の実施の形態におけるカード用トレイの金属部を示す斜視図、図４Ａは本発明の第１の実施の形態におけるカード用トレイの金属部の変形例を示す斜視図、図５は本発明の第１の実施の形態におけるカード用トレイの金属部に樹脂を被覆した状態を示す斜視図、図６は本発明の第１の実施の形態におけるカード用コネクタの斜視図である。なお、図１において、（ａ）はカードを収容してカード用コネクタに挿入された状態を示す図、（ｂ）はカードを収容せずにカード用コネクタに挿入された状態を示す図であり、図２において、（ａ）は後方斜め上から観た図、（ｂ）は後方斜め下から観た図であり、図３において、（ａ）は上面図、（ｂ）は後面図、（ｃ）は側面図であり、図４、４Ａ及び５において、（ａ）は後方斜め上から観た図、（ｂ）は後方斜め下から観た図であり、図６において、（ａ）はシェルを取付けた状態を示す図、（ｂ）はシェルを取外した状態を示す図である。
【００２７】
図において、１６１は本実施の形態におけるカード保持部材としてのカード用トレイであり、図１（ａ）に示されるように、カード１０１を収容して保持した状態で、図示されない電子機器に取付けられたカード用コネクタ１に挿入される。つまり、カード１０１は、その側面１１２をカード用トレイ１６１に囲繞された状態で該カード用トレイ１６１に収容され、カード用コネクタ１を介して、電子機器に装着される。なお、該電子機器は、例えば、パーソナルコンピュータ、携帯電話機、通信モデム、ＰＤＡ、デジタルカメラ、ビデオカメラ、音楽プレーヤ、ゲーム機、車両用ナビゲーション装置等であるが、いかなる種類の機器であってもよい。
【００２８】
ところで、例えば、電子機器にカード用コネクタ１以外のカード用コネクタが実装されているような場合には、ユーザがカード用コネクタ１を使用しないこともあり得る。そして、このような場合に、ユーザは、図１（ｂ）に示されるように、カード１０１を収容していないカード用トレイ１６１、すなわち、空のカード用トレイ１６１をカード用コネクタ１に挿入した状態で保管することができる。なお、図１においては、説明の都合上、カード用コネクタ１のシェル６１の描画が省略されている。
【００２９】
前記カード１０１は、例えば、ＳＩＭカード、マイクロＳＩＭカード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカードであり、いかなる種類のカードであってもよいが、本実施の形態においては、４ＦＦ（４ｔｈ  Ｆｏｒｍ  Ｆａｃｔｏｒ）カード、いわゆる、ナノＳＩＭ（ｎａｎｏＳＩＭ）カードであるものとして説明する。なお、カードの規格であるＥＴＳＩ  ＴＳ  １０２  ２２１  Ｖ１１．００によると、ナノＳＩＭカードの大きさは、前後長１２．３〔ｍｍ〕、幅８．８〔ｍｍ〕、厚さ０．６７〔ｍｍ〕と規定されている。
【００３０】
本実施の形態において、前記カード１０１は、図１（ａ）に示されるように、全体的に略矩形の板状の形状を有し、端子配設面としての後述される下面１１１ａに、端子部材である後述される電極パッド１１１ｄが、複数、前端１１１ｆ及び後端１１１ｒに沿って並ぶように、例えば、３つずつ、２列に並ぶように配設されている。すなわち、電極パッド１１１ｄは、カード１０１の幅方向に延在する２本の列を成すように配列されている。なお、端子配設面の反対側の面、すなわち、上面１１１ｂには、電極パッド１１１ｄが配設されていない。さらに、後端１１１ｒの左右両端と側端１１１ｓとを結合する角部の一方には、斜めに切欠かれた傾斜部としての切欠部１１１ｃが形成されている。
【００３１】
なお、本実施の形態において、カード用コネクタ１、カード用トレイ１６１及びカード１０１の各部の構成及び動作を説明するために使用される上、下、左、右、前、後等の方向を示す表現は、絶対的なものでなく相対的なものであり、カード用コネクタ１、カード用トレイ１６１、カード１０１又はそれらの部品が図に示される姿勢である場合に適切であるが、カード用コネクタ１、カード用トレイ１６１、カード１０１又はそれらの部品の姿勢が変化した場合には、姿勢の変化に応じて変更して解釈されるべきものである。
【００３２】
ここで、前記カード用トレイ１６１は、図４に示されるように、金属から成る板材に打抜き、折曲げ等の加工を施して一体的に形成された金属部１５１と、該金属部１５１の周囲の少なくとも一部を被覆して一体化するように、インサート成形乃至オーバーモールド成形と称される成形方法によって、図５に示されるように、成形された絶縁性の樹脂から成る樹脂部１６９とを含む部材である。
【００３３】
前記金属部１５１は、搬送等に使用され、後の工程で切除されるキャリア部１５９に接続されて、複数個が一体的に形成される。なお、図４〜５では、図示の都合上、金属部１５１は、１つのみが描画され、また、キャリア部１５９も、実際には、長い帯状の板材であるが、両端が切断されて短くなった状態で描画されている。
【００３４】
前記金属部１５１は、図４に示されるように、カード１０１の電極パッド１１１ｄが露出可能な略矩形の開口１５６の四辺を囲繞する略矩形の枠部材であって、幅方向に延在する互いに平行な後金属枠部１５３及び前金属枠部１５２と、前後方向に延在し、後金属枠部１５３の両端と前金属枠部１５２の両端とを連結する第１金属側枠部１５４−１及び第２金属側枠部１５４−２とを含んでいる。なお、該第１金属側枠部１５４−１及び第２金属側枠部１５４−２を統合的に説明する場合には、金属側枠部１５４として説明する。
【００３５】
そして、後金属枠部１５３とキャリア部１５９との間には空間部１５９ａが形成され、前記後金属枠部１５３の両端は、細長い帯状の接続部１５８を介して、直線的な帯状のキャリア部１５９に接続されている。なお、後の工程で切除されるキャリア部１５９を切除する際には、前記接続部１５８と前記後金属枠部１５３の両端との境界線に沿って切断が行われる。
【００３６】
前記後金属枠部１５３と金属側枠部１５４とは面一であるが、前金属枠部１５２は、後金属枠部１５３及び金属側枠部１５４よりも上方に位置する。前金属枠部１５２と、後金属枠部１５３及び金属側枠部１５４との上下方向（厚さ方向）の位置の差は、カード１０１の厚さ寸法とほぼ等しくなるように設定される。そして、前記後金属枠部１５３及び前金属枠部１５２には、幅方向に延在するスリット状の突起であって、板厚方向に突出する突条部１５３ａ及び１５２ａが、それぞれ、形成されている。この突条部１５３ａ及び１５２ａによって、後金属枠部１５３及び前金属枠部１５２の強度を向上させている。
【００３７】
なお、図４Ａに示される変形例のように、前金属枠部１５２の前端縁に、前金属枠部１５２に対してほぼ直角となるように下方に向けて折曲げられた金属前壁部１５２ｂを接続することもできる。該金属前壁部１５２ｂによって、前金属枠部１５２の強度を向上させることができる。この場合、カード用トレイ１６１の前端１６１ｆ、すなわち、前枠部１６５の前端に金属前壁部１５２ｂの前面が露出する。
【００３８】
また、前記第１金属側枠部１５４−１及び第２金属側枠部１５４−２の外側縁には、第１金属側枠部１５４−１及び第２金属側枠部１５４−２に対してほぼ直角となるように折曲げられた第１金属側壁部１５５−１及び第２金属側壁部１５５−２が、それぞれ、接続されている。該第１金属側壁部１５５−１及び第２金属側壁部１５５−２は、第１金属側枠部１５４−１及び第２金属側枠部１５４−２における前後方向の途中から、前方に向けて延出する細長い帯状の部材である。そして、前記第１金属側壁部１５５−１及び第２金属側壁部１５５−２は、途中に形成された第１側壁段差部１５５ａ１及び第２側壁段差部１５５ａ２と、前端に形成された第１前端コーナー部１５５ｂ１及び第２前端コーナー部１５５ｂ２とを、それぞれ、備える。そして、第１前端コーナー部１５５ｂ１及び第２前端コーナー部１５５ｂ２は、前金属枠部１５２の両端前方を覆っている。また、第１前端コーナー部１５５ｂ１及び第２前端コーナー部１５５ｂ２の上端面は、前金属枠部１５２の上面とほぼ面一である。
【００３９】
なお、第１金属側壁部１５５−１及び第２金属側壁部１５５−２を統合的に説明する場合には、金属側壁部１５５として説明し、第１側壁段差部１５５ａ１及び第２側壁段差部１５５ａ２を統合的に説明する場合には側壁段差部１５５ａとして説明し、第１前端コーナー部１５５ｂ１及び第２前端コーナー部１５５ｂ２を統合的に説明する場合には、前端コーナー部１５５ｂとして説明する。
【００４０】
さらに、第１金属側枠部１５４−１及び第２金属側枠部１５４−２の外側縁には、第１前方側枠凹部１５４ａ１及び第２前方側枠凹部１５４ａ２と、第１後方側枠凹部１５４ｂ１及び第２後方側枠凹部１５４ｂ２とが、それぞれ、形成されている。前記第１前方側枠凹部１５４ａ１及び第２前方側枠凹部１５４ａ２の外側端は、第１金属側壁部１５５−１及び第２金属側壁部１５５−２によって画定されている。なお、第１前方側枠凹部１５４ａ１及び第２前方側枠凹部１５４ａ２を統合的に説明する場合には前方側枠凹部１５４ａとして説明し、第１後方側枠凹部１５４ｂ１及び第２後方側枠凹部１５４ｂ２を統合的に説明する場合には後方側枠凹部１５４ｂとして説明し、前方側枠凹部１５４ａ及び後方側枠凹部１５４ｂを統合的に説明する場合には、側枠凹部１５４ａｂとして説明する。
【００４１】
そして、前記金属部１５１の周囲の少なくとも一部に、図５に示されるように、インサート成形乃至オーバーモールド成形と称される成形方法によって、絶縁性の樹脂が一体的に被覆され、その後、キャリア部１５９を切除することによって、図２及び３に示されるようなカード用トレイ１６１が得られる。該カード用トレイ１６１は、カード１０１を収容するカード収容空間としての空間部１６６の四辺を囲繞する略矩形の枠部材であって、幅方向に延在する互いに平行な後枠部１６２及び前枠部１６５と、前後方向に延在し、後枠部１６２の両端と前枠部１６５の両端とを連結する第１側枠部１６４−１及び第２側枠部１６４−２とを含んでいる。なお、該第１側枠部１６４−１及び第２側枠部１６４−２を統合的に説明する場合には、側枠部１６４として説明する。すなわち、前記空間部１６６は、前枠部１６５、後枠部１６２及び側枠部１６４によって周囲を画定されている。
【００４２】
また、前記後枠部１６２における第２側枠部１６４−２と連結される角部、具体的には、後方右角部には、傾斜部１６２ｃが形成されている。該傾斜部１６２ｃは、カード姿勢規制部として機能し、図１（ａ）に示されるように、カード１０１が正規の姿勢である場合には、カード用トレイ１６１内へのカード１０１の収容を許容するが、カード１０１が非正規の姿勢である場合には、カード用トレイ１６１内へのカード１０１の収容を許容しない、すなわち、空間部１６６内へカード１０１を収容することができないようにする。具体的には、前記傾斜部１６２ｃは、正規の姿勢で空間部１６６内に収容されたカード１０１の切欠部１１１ｃに近接して対向するように形成される。したがって、非正規の姿勢、例えば、前後逆さま、上下逆さま等の姿勢のカード１０１をカード用トレイ１６１の空間部１６６内へ収容することができない。
【００４３】
さらに、前記後枠部１６２の後方には、連結部１６２ａを介して、後板部１６３が接続されている。該後板部１６３は、カード用トレイ１６１の厚さ方向（図３（ｃ）における上下方向）の寸法が、後枠部１６２、前枠部１６５及び側枠部１６４よりも大きく形成されている。さらに、前記後板部１６３の両端は、後枠部１６２及び前枠部１６５よりも、カード用トレイ１６１の幅方向外側に突出する。これにより、前記後板部１６３は、カード用トレイ１６１が前後逆さまの姿勢でカード用コネクタ１に挿入されること、すなわち、誤挿入を防止する機能を発揮するとともに、カード用コネクタ１のユーザがカード用トレイ１６１を手指等によって操作する際に、把持や操作を容易にする機能を発揮する。また、前記後板部１６３の両端の一方には、前記後板部１６３を板厚方向に貫通する挿通孔（こう）１６３ａが形成されている。該挿通孔１６３ａは、カード用コネクタ１のプッシュロッド２２の操作部２２ａをピン、ロッド等の補助部材を介して押圧操作する際に、該補助部材を挿通させる孔（あな）である。
【００４４】
前記後板部１６３を除き、後枠部１６２、側枠部１６４及び前枠部１６５は、上面（カード１０１の端子配設面である下面１１１ａと反対側の面）が互いに面一である。そして、前記後枠部１６２及び左右の側枠部１６４の内側下端からは、庇（ひさし）部１６７が空間部１６６の内側に向けて延出する。前記庇部１６７は、空間部１６６内に収容されたカード１０１の下面１１１ａの少なくとも一部、例えば、側端近傍等を支持するカード支持部として機能する。
【００４５】
前記庇部１６７の面積の半分以上は、金属部１５１の後金属枠部１５３並びに第１金属側枠部１５４−１及び第２金属側枠部１５４−２によって占められているが、第１金属側枠部１５４−１及び第２金属側枠部１５４−２における第１前方側枠凹部１５４ａ１及び第２前方側枠凹部１５４ａ２と、第１後方側枠凹部１５４ｂ１及び第２後方側枠凹部１５４ｂ２とに対応する部分には、絶縁性の樹脂が充填され、第１前方島部１６４ａ１及び第２前方島部１６４ａ２と、第１後方島部１６４ｂ１及び第２後方島部１６４ｂ２とが形成されている。
【００４６】
そして、第１前方島部１６４ａ１及び第２前方島部１６４ａ２並びに第１後方島部１６４ｂ１及び第２後方島部１６４ｂ２の下面（カード１０１の端子配設面と同じ側の面）は、後金属枠部１５３並びに第１金属側枠部１５４−１及び第２金属側枠部１５４−２の下面と面一であるが、第１前方島部１６４ａ１及び第２前方島部１６４ａ２並びに第１後方島部１６４ｂ１及び第２後方島部１６４ｂ２の上面は、後金属枠部１５３並びに第１金属側枠部１５４−１及び第２金属側枠部１５４−２の上面よりも上方に位置する。したがって、空間部１６６内に収容されたカード１０１の下面１１１ａに配設された電極パッド１１１ｄは、絶縁性の樹脂から成る第１前方島部１６４ａ１及び第２前方島部１６４ａ２並びに第１後方島部１６４ｂ１及び第２後方島部１６４ｂ２の上面に当接しても、金属から成る後金属枠部１５３並びに第１金属側枠部１５４−１及び第２金属側枠部１５４−２に当接することはない。
【００４７】
なお、第１前方島部１６４ａ１及び第２前方島部１６４ａ２を統合的に説明する場合には、前方島部１６４ａとして説明し、第１後方島部１６４ｂ１及び第２後方島部１６４ｂ２を統合的に説明する場合には、後方島部１６４ｂとして説明し、前方島部１６４ａ及び後方島部１６４ｂを統合的に説明する場合には、島部１６４ａｂとして説明する。
【００４８】
また、前枠部１６５の上面には前金属枠部１５２の上面が露出しているが、前枠部１６５の下面には、前金属枠部１５２を含む金属部１５１のいかなる部分も露出していない。さらに、後枠部１６２、側枠部１６４及び前枠部１６５における空間部１６６の内側に向いた側面、すなわち、内側面は、すべて絶縁性の樹脂で覆われており、金属部１５１は露出していない。したがって、空間部１６６内に収容されたカード１０１の下面１１１ａに配設された電極パッド１１１ｄの周縁がカード１０１の側面１１２（下面１１１ａ及び上面１１１ｂと直交する方向に延在し、下面１１１ａ及び上面１１１ｂを連結する面）に露出していたとしても、金属から成る金属部１５１に当接することはない。
【００４９】
また、第１側枠部１６４−１及び第２側枠部１６４−２の外側面には、カード用トレイ１６１がカード用コネクタ１内で保持されるための第１保持用凹部１６８−１及び第２保持用凹部１６８−２が、それぞれ、形成されている。そして、前記第１保持用凹部１６８−１及び第２保持用凹部１６８−２における、少なくともその前端を含む、大部分には、第１金属側壁部１５５−１及び第２金属側壁部１５５−２が、それぞれ、露出している。また、第１側枠部１６４−１及び第２側枠部１６４−２の外側面における第１保持用凹部１６８−１及び第２保持用凹部１６８−２より前方の部分、並びに、前枠部１６５の両端前方にも第１金属側壁部１５５−１及び第２金属側壁部１５５−２が、それぞれ、露出している。なお、第１金属側壁部１５５−１及び第２金属側壁部１５５−２のカード用トレイ１６１の厚さ方向の寸法は、第１側枠部１６４−１及び第２側枠部１６４−２並びに前枠部１６５の外側面のカード用トレイ１６１の厚さ方向の寸法の、少なくとも半分以上となっている。
【００５０】
さらに、前記第１保持用凹部１６８−１及び第２保持用凹部１６８−２の前端には、第１側壁段差部１５５ａ１及び第２側壁段差部１５５ａ２が露出し、第１側枠部１６４−１及び第２側枠部１６４−２と前枠部１６５の両端との接続部分の外側面には、第１前端コーナー部１５５ｂ１及び第２前端コーナー部１５５ｂ２が露出している。
【００５１】
このように、カード用トレイ１６１がカード用コネクタ１に挿入される際に、第１保持部材７５−１及び第２保持部材７５−２に接触する箇所は、第１金属側壁部１５５−１及び第２金属側壁部１５５−２によって覆われている。したがって、カード用トレイ１６１のカード用コネクタ１への挿入及び抜取りが繰返され、第１保持部材７５−１及び第２保持部材７５−２との当接乃至摺接が繰返されても、カード用トレイ１６１が摩滅したり損傷を受けたりすることがない。
【００５２】
また、前面視において、第１側枠部１６４−１及び第２側枠部１６４−２は、前枠部１６５の両端において、該前枠部１６５よりも下方に突出する。つまり、カード用トレイ１６１は、前面視において、略ワ冠状の形状を備える。そして、該略ワ冠状の形状は、カード用トレイ１６１が上下逆さまの姿勢でカード用コネクタ１に挿入されること、すなわち、誤挿入を防止する機能を発揮する。また、前枠部１６５の下面は、空間部１６６内に収容されて保持されたカード１０１の下面１１１ａよりも上方に位置することが望ましい。これにより、カード用トレイ１６１がカード用コネクタ１に挿入される際に、前枠部１６５が端子５１に接触するが、端子５１が下方に変位する量を少なくすることができる。さらに、前枠部１６５の内側面は、図２（ｂ）に示されるように、前枠部１６５の下面及び前方に向って、湾曲していることが望ましい。これにより、カード用トレイ１６１がカード用コネクタ１から抜取られる際に、端子５１の接触部５１ｃが前枠部１６５の湾曲した内側面に接触しながら下方へ変位するため、端子５１を変形させることが防止される。
【００５３】
さらに、カード用トレイ１６１の前端１６１ｆ、すなわち、前枠部１６５の前端には、前金属枠部１５２の前端が露出している。このように、カード用トレイ１６１がカード用コネクタ１に挿入される際に、イジェクトレバー２１の作用点部２１ａ、及び、第１接点部材５７の本体部５７ｂの自由端に接触する箇所には、前金属枠部１５２の前端が露出している。したがって、カード用トレイ１６１のカード用コネクタ１への挿入及び抜取りが繰返され、イジェクトレバー２１の作用点部２１ａ、及び、第１接点部材５７の本体部５７ｂの自由端との当接乃至摺接が繰返されても、カード用トレイ１６１が摩滅したり損傷を受けたりすることがない。
【００５４】
さらに、前述のように、第１前方島部１６４ａ１及び第２前方島部１６４ａ２並びに第１後方島部１６４ｂ１及び第２後方島部１６４ｂ２の下面が、第１金属側枠部１５４−１及び第２金属側枠部１５４−２の下面と面一なので、カード用トレイ１６１がカード用コネクタ１に挿入される際に、ハウジング１１の第１フランジ部１１ｈ１及び第２フランジ部１１ｈ２の上面とは、第１金属側枠部１５４−１及び第２金属側枠部１５４−２の下面が接触する。したがって、カード用トレイ１６１のカード用コネクタ１への挿入及び抜取りが繰返され、ハウジング１１の第１フランジ部１１ｈ１及び第２フランジ部１１ｈ２の上面との摺接が繰返されても、カード用トレイ１６１が摩滅したり損傷を受けたりすることがない。
【００５５】
本実施の形態において、カード用コネクタ１は、図６に示されるように、合成樹脂等の絶縁性材料によって一体的に成形されたハウジング１１と、導電性の金属から成る板材に打抜き、折曲げ等の加工を施すことによって一体的に成形され、ハウジング１１の上側に取付けられたカバー部材としてのシェル６１とを有する。該シェル６１は、ハウジング１１及びカード用コネクタ１に挿入されたカード用トレイ１６１の少なくとも一部の上方を覆うようになっている。そして、前記カード用コネクタ１は、概略、扁（へん）平な直方体形状を備え、前記電子機器に取付けられ、後方（図６（ａ）における右下方）の挿入口１８から、ハウジング１１にカード用トレイ１６１が挿入される。具体的には、ハウジング１１とシェル６１との間に形成されるカード挿入空間内にカード用トレイ１６１が挿入される。
【００５６】
図６（ｂ）に示されるように、ハウジング１１は、略矩形の平板状部材である底壁部１１ｂ、及び、ハウジング１１におけるカード用トレイ１６１の挿入方向前方の端部、すなわち、前端部１１ｆに沿って延在し、底壁部１１ｂから立設する奥壁部１１ａを有する。なお、ハウジング１１におけるカード用トレイ１６１の挿入方向後方の端部は、後端部１１ｒと称する。
【００５７】
ここで、底壁部１１ｂは、接続端子としての端子５１を保持する端子保持凹部１１ｃを備える。該端子保持凹部１１ｃは、底壁部１１ｂを板厚方向に貫通する開口であり、ハウジング１１の幅方向に延在する列を成すように、並んで配設されている。図に示される例では、３つずつ、２列に並ぶように配設されている。すなわち、端子保持凹部１１ｃ、及び、各端子保持凹部１１ｃ内に１つずつ保持される端子５１は、ハウジング１１の幅方向に延在する２本の列を成すように配列されている。
【００５８】
端子５１は、その基部５１ａの少なくとも一部が底壁部１１ｂに埋込まれ、また、その他の部分が端子保持凹部１１ｃ内に露出している。具体的には、端子５１は、インサート成形乃至オーバーモールド成形と称される成形方法によって、すなわち、ハウジング１１は、端子５１をあらかじめ内部にセットした金型のキャビティ内に絶縁性材料を充填する方法によって成形され、基部５１ａの少なくとも一部が、底壁部１１ｂを構成する絶縁性材料によって覆われることにより、底壁部１１ｂに埋込まれて保持されている。
【００５９】
そして、端子５１は、基部５１ａに基端が連結されたカンチレバー状の接触腕部５１ｂと、該接触腕部５１ｂの自由端、すなわち、先端に接続された接触部５１ｃとを備える。そして、少なくとも接触部５１ｃの上面は、カード挿入空間内にカード用トレイ１６１に収容されたカード１０１が挿入されていない状態では、底壁部１１ｂの上面より上方に位置している。なお、前記端子５１において、接触腕部５１ｂと接触部５１ｃとから成る部分は、前端部１１ｆに近付くにつれて上昇するような、すなわち、前方に向けて斜め上方に延在するような側面形状を備える。また、接触腕部５１ｂ及び接触部５１ｃは、平面視において、端子保持凹部１１ｃ内に位置する。前記端子５１は、接触部５１ｃが、カード用コネクタ１内に保持されたカード用トレイ１６１内のカード１０１の電極パッド１１１ｄの各々に接触するように、配設されている。したがって、端子５１の数及び配置の形態は、カード１０１の電極パッド１１１ｄの数及び配置の形態に適合するように、適宜変更される。
【００６０】
また、底壁部１１ｂには、該底壁部１１ｂを板厚方向に貫通するソルダーテール用開口１１ｄが形成されている。そして、該ソルダーテール用開口１１ｄには、各端子５１の基板接続部としてのソルダーテール部５１ｄが露出している。該ソルダーテール部５１ｄの各々は、底壁部１１ｂに埋込まれた図示されない連結部を介して、各端子５１の基部５１ａに連結されている。そして、ソルダーテール部５１ｄは、前記電子機器における配線基板等に形成された信号線、コンタクトパッド、端子等、すなわち、相手側端子部材に、はんだ付等によって電気的に接続される。
【００６１】
そして、ハウジング１１は、側縁に沿って前後方向に延在する第１側壁部１１ｓ１及び第２側壁部１１ｓ２を有し、前記第１側壁部１１ｓ１の内側には、トレイ排出ロッド収容部１１ｇが形成されている。該トレイ排出ロッド収容部１１ｇには、カード用コネクタ１内に挿入されたカード用トレイ１６１を排出するためのトレイ排出機構におけるトレイ排出操作部材としてのプッシュロッド２２が前後方向にスライド可能に取付けられている。これにより、該プッシュロッド２２は、第１側壁部１１ｓ１に沿って前後方向にスライドすることができる。なお、第１側壁部１１ｓ１及び第２側壁部１１ｓ２を統合的に説明する場合には、側壁部１１ｓとして説明する。
【００６２】
前記プッシュロッド２２は、概略直線的な棒状又は帯板状の部材であるが、ハウジング１１から突出した後端部には、屈曲した操作部２２ａが一体的に接続されている。該操作部２２ａは、カード用コネクタ１のユーザが手指等によって、又は、ピン、ロッド等の補助部材を介して操作する際に、操作が容易となるような形状を備える。なお、前記操作部２２ａの後面には、ピン、ロッド等の補助部材の先端が係合しやすいように、凹部２２ｃが形成されていてもよい。
【００６３】
また、前記プッシュロッド２２の前端部には、イジェクトレバー２１の力点部２１ｂと係合する係合部２２ｂが形成されている。前記イジェクトレバー２１は、奥壁部１１ａの近傍に配設されたレバー状の部材であってトレイ排出機構におけるトレイ排出梃子（てこ）部材として機能する。そのため、イジェクトレバー２１は、支点部２１ｃにおいて枢動可能に底壁部１１ｂに取付けられている。そして、イジェクトレバー２１における前記支点部２１ｃを挟んで力点部２１ｂと反対側の端部は、カード用コネクタ１内に挿入されたカード用トレイ１６１の前端１６１ｆに当接して、カード用トレイ１６１に排出方向の力を付与する作用点部２１ａとして機能する。
【００６４】
さらに、前記第１側壁部１１ｓ１の内側におけるトレイ排出ロッド収容部１１ｇ内には、カード用コネクタ１内に挿入されたカード用トレイ１６１を保持する保持ばね部としての第１保持部材７５−１が収容されている。また、前記第２側壁部１１ｓ２の内側には、カード用コネクタ１内に挿入されたカード用トレイ１６１を保持する保持ばね部としての第２保持部材７５−２が収容されている。前記第１保持部材７５−１及び第２保持部材７５−２は、金属板等から成るばね性を備える帯板状の部材であり、ハウジング１１の幅方向内側を向いて膨出する第１保持用凸部７５ａ１及び第２保持用凸部７５ａ２が形成されている。なお、前記第１保持部材７５−１及び第２保持部材７５−２を統合的に説明する場合には保持部材７５として説明し、前記第１保持用凸部７５ａ１及び第２保持用凸部７５ａ２を統合的に説明する場合には保持用凸部７５ａとして説明する。
【００６５】
前記シェル６１は、概略矩形の天板部６２と、該天板部６２の側縁から立設する側板部６３とを有する。該側板部６３には、複数の掛止開口６３ａが形成され、シェル６１をハウジング１１の上側に取付けると、該ハウジング１１の側壁部１１ｓの外側面に形成された掛止突起１３に前記掛止開口６３ａが掛止され、これにより、シェル６１がハウジング１１に固定される。また、前記側板部６３の下端の任意の箇所には、側板部６３から立設し、シェル６１の幅方向外側に向けて延出する基板接続部としてのソルダーテール部６４が形成されている。該ソルダーテール部６４は、前記電子機器における配線基板等の表面に形成された固定用パッド等に、はんだ付等によって固定される。なお、前記シェル６１におけるカード用トレイ１６１の挿入方向前方及び後方の端部は、前端部６１ｆ及び後端部６１ｒと称する。
【００６６】
さらに、カード用コネクタ１は、該カード用コネクタ１に挿入されたカード用トレイ１６１を検出する検出スイッチの端子を有する。具体的には、ハウジング１１の前端部１１ｆの近傍には、カード用トレイ１６１がカード用コネクタ１の所定位置（カード用トレイ１６１が保持部材７５によって保持されるとともに、カード用トレイ１６１にカード１０１が収容されている場合に各電極パッドが対応する端子５１の接触部５１ｃと確実に接触する位置）にまで挿入されたことを検出する検出スイッチとしてのトレイ検出スイッチの端子が配設されている。前記トレイ検出スイッチは、前端部１１ｆ及びその近傍に取付けられたカンチレバー状の端子としての第１接点部材５７と、底壁部１１ｂに形成されたスイッチ保持凹部１１ｊに保持された端子としての第２接点部材５８とによって形成される。前記スイッチ保持凹部１１ｊは、底壁部１１ｂを板厚方向に貫通する開口である。
【００６７】
前記第１接点部材５７は、前端部１１ｆに取付けられる取付部、該取付部に接続され、横方向に向けて延出するカンチレバー状の本体部５７ｂ、及び、該本体部５７ｂの先端、すなわち、自由端に接続された接触部５７ｃを有する。そして、前記本体部５７ｂは、カード用トレイ１６１がカード用コネクタ１に挿入されていない状態においては、奥壁部１１ａの側面に対して傾斜し、接触部５７ｃは、後端部１１ｒに向けて、すなわち、後方に向けて突出する。そして、カード用トレイ１６１が挿入されると、該カード用トレイ１６１の前枠部１６５が本体部５７ｂの自由端に当接する。一方、前記第２接点部材５８は、底壁部１１ｂに埋込まれた取付部と、該取付部に接続され、少なくとも先端、すなわち、自由端がスイッチ保持凹部１１ｊ内に露出する接触部５８ｂとを有する。
【００６８】
そして、カード用トレイ１６１が挿入されていない状態においては、図６（ｂ）に示されるように、第１接点部材５７の接触部５７ｃが第２接点部材５８の接触部５８ｂと接触していないので、第１接点部材５７と第２接点部材５８とは接触しておらず、つまり、端子同士が接触しておらず、トレイ検出スイッチは非導通状態、すなわち、オフ（ＯＦＦ）になっている。しかし、カード用トレイ１６１がカード用コネクタ１に挿入されて所定位置に到達すると、カード用トレイ１６１の前枠部１６５によって第１接点部材５７の本体部５７ｂの自由端が前端部１１ｆの方向に向けて押されて変位し、第１接点部材５７の接触部５７ｃが第２接点部材５８の接触部５８ｂに接触する。これにより、第１接点部材５７と第２接点部材５８とが接触、つまり、端子同士が接触し、トレイ検出スイッチは導通状態、すなわち、オン（ＯＮ）になるので、カード用トレイ１６１がカード用コネクタ１の所定位置に到達したことが検出される。
【００６９】
また、ハウジング１１は、底壁部１１ｂの左右両側から幅方向外側に向けて延出する第１フランジ部１１ｈ１及び第２フランジ部１１ｈ２を備える。該第１フランジ部１１ｈ１及び第２フランジ部１１ｈ２は、底壁部１１ｂよりも薄肉の板部材であって、その下面が底壁部１１ｂの下面と面一となるように形成されている。したがって、第１フランジ部１１ｈ１及び第２フランジ部１１ｈ２の上面は、底壁部１１ｂの上面よりも下方に位置し、その結果、ハウジング１１の後端部１１ｒとシェル６１の後端部６１ｒとの間に形成される挿入口１８の形状は、幅方向全体に厚さが一定な細長い直方体状でなく、両端において下側へ突出する突出部を備える略ワ冠状となっている。
【００７０】
前述のように、前記カード用トレイ１６１が、前面視において、略ワ冠状の形状を備えているので、前記挿入口１８は、カード用トレイ１６１が上下逆さまの姿勢でカード用コネクタ１に挿入されること、すなわち、誤挿入を防止する機能を発揮する。なお、前記第１フランジ部１１ｈ１及び第２フランジ部１１ｈ２を統合的に説明する場合にはフランジ部１１ｈとして説明する。
【００７１】
また、前記挿入口１８の厚さ方向の寸法は、カード用トレイ１６１における後板部１６３の厚さ方向の寸法よりも小さく形成されている。さらに、前記挿入口１８の幅方向の寸法は、カード用トレイ１６１における後板部１６３の幅方向の寸法よりも小さく形成されている。したがって、前記挿入口１８は、前記後板部１６３と協働して、カード用トレイ１６１が前後逆さまの姿勢でカード用コネクタ１に挿入されること、すなわち、誤挿入を防止する機能を発揮する。
【００７２】
次に、前記構成のカード用コネクタ１の動作について説明する。まず、カード用トレイ１６１を挿入する場合の動作について説明する。
【００７３】
まず、ユーザは、手指等によって、カード１０１が収容されたカード用トレイ１６１をカード用コネクタ１の後方の挿入口１８からハウジング１１とシェル６１との間に形成されるカード挿入空間内に挿入する。
【００７４】
ここで、カード用トレイ１６１は、その上面が上を向き、すなわち、シェル６１の天板部６２と向合い、前枠部１６５がシェル６１の前端部６１ｆの方を向くような姿勢、すなわち、正規姿勢で挿入される。そのため、カード１０１がカード用トレイ１６１内に収容されている場合には、電極パッド１１１ｄが配設されている下面１１１ａが開放された状態で下を向き、端子５１が配設されているハウジング１１の底壁部１１ｂと向合い、前端１１１ｆがシェル６１の前端部６１ｆの方を向くような姿勢となる。
【００７５】
そして、カード用トレイ１６１が挿入口１８からハウジング１１とシェル６１との間に形成されるカード挿入空間内に挿入されると、第１金属側枠部１５４−１及び第２金属側枠部１５４−２の下面が第１フランジ部１１ｈ１及び第２フランジ部１１ｈ２の上面と近接又は接触した状態で、カード用トレイ１６１はカード挿入空間内を進行する。また、前枠部１６５の下面は、望ましくは、空間部１６６内に収容されたカード１０１の下面１１１ａよりも上方に位置するので、カード用トレイ１６１がカード挿入空間内に挿入される際に、端子５１の接触部５１ｃは、前枠部１６５に接触したとしても、端子５１が下方に変位する量を少なくすることができる。
【００７６】
続いて、ユーザがカード用トレイ１６１をプッシュして更に押込むと、第１保持部材７５−１及び第２保持部材７５−２の第１保持用凸部７５ａ１及び第２保持用凸部７５ａ２が、カード用トレイ１６１に接触する。具体的には、前記第１保持用凸部７５ａ１及び第２保持用凸部７５ａ２が、ほぼ同時に、第１側枠部１６４−１及び第２側枠部１６４−２と前枠部１６５の両端との接続部分の外側面に露出している第１前端コーナー部１５５ｂ１及び第２前端コーナー部１５５ｂ２に接触する。
【００７７】
続いて、ユーザがカード用トレイ１６１をプッシュして更に押込むと、第１保持部材７５−１及び第２保持部材７５−２が弾性的に変形して第１保持部材７５−１の第１保持用凸部７５ａ１と第２保持部材７５−２の第２保持用凸部７５ａ２との間隔が押広げられ、第１保持用凸部７５ａ１及び第２保持用凸部７５ａ２は、第１側枠部１６４−１及び第２側枠部１６４−２の外側面に露出する第１金属側壁部１５５−１及び第２金属側壁部１５５−２に摺接しながら、相対的にカード用トレイ１６１の後方に移動する。
【００７８】
また、第１接点部材５７がカード用トレイ１６１に接触する。さらに、イジェクトレバー２１もカード用トレイ１６１に接触する。具体的には、前枠部１６５の前端において露出している前金属枠部１５２の前端及びその周辺部分が、第１接点部材５７の本体部５７ｂの自由端及びイジェクトレバー２１の作用点部２１ａに接触する。
【００７９】
続いて、ユーザがカード用トレイ１６１をプッシュして更に押込むと、図１に示されるように、カード用トレイ１６１がカード用コネクタ１の所定位置に到達する。このとき、前枠部１６５に押され、第１接点部材５７の本体部５７ｂの自由端が前端部１１ｆの方向に向けて変位し、第１接点部材５７の接触部５７ｃが第２接点部材５８の接触部５８ｂに接触する。これにより、第１接点部材５７と第２接点部材５８とが接触し、トレイ検出スイッチがオンになるので、カード用トレイ１６１がカード用コネクタ１の所定位置に到達したことが検出される。
【００８０】
また、カード用トレイ１６１がカード用コネクタ１の所定位置にまで前進することによって、イジェクトレバー２１の作用点部２１ａが、前枠部１６５に押されて前端部１１ｆの方向に向けて変位するので、イジェクトレバー２１の力点部２１ｂは、後端部１１ｒの方向に向けて変位する。そのため、前記力点部２１ｂと係合する係合部２２ｂを備えるプッシュロッド２２は、後端部１１ｒの方向にスライドし、操作部２２ａのハウジング１１からの突出量が、図６に示されるような初期状態よりも大きくなる。
【００８１】
さらに、カード用トレイ１６１がカード用コネクタ１の所定位置に到達すると、第１保持部材７５−１及び第２保持部材７５−２の第１保持用凸部７５ａ１及び第２保持用凸部７５ａ２が、第１側枠部１６４−１及び第２側枠部１６４−２の外側面に形成されている第１保持用凹部１６８−１及び第２保持用凹部１６８−２内に進入し係合する。具体的には、第１保持用凸部７５ａ１及び第２保持用凸部７５ａ２が、第１保持用凹部１６８−１及び第２保持用凹部１６８−２の前端に露出する第１金属側壁部１５５−１及び第２金属側壁部１５５−２の第１側壁段差部１５５ａ１及び第２側壁段差部１５５ａ２と係合する。これにより、カード用トレイ１６１は、カード用コネクタ１内における所定位置にロックされた状態で保持される。また、第１保持部材７５−１及び第２保持部材７５−２によって左右から弾性的に挟持されるので、カード用トレイ１６１の幅方向の変位が規制される。
【００８２】
そして、カード１０１がカード用トレイ１６１内に収容されている場合には、カード１０１は、カード用トレイ１６１とともに、所定位置に保持されることによって、カード用コネクタ１が実装された電子機器の演算手段等との間でデータの送受信を行うことができる状態となる。なお、カード１０１が所定位置に保持されているとき、カード用コネクタ１の端子５１は、その接触部５１ｃが、カード１０１の電極パッド１１１ｄの各々に接触して導通している。
【００８３】
次に、カード用トレイ１６１をカード用コネクタ１から排出させる動作について説明する。
【００８４】
まず、ユーザが手指等によって、又は、ピン、ロッド等の補助部材を介してプッシュロッド２２の操作部２２ａをプッシュして押込むと、プッシュロッド２２の係合部２２ｂと係合するイジェクトレバー２１の力点部２１ｂは、前端部１１ｆの方向に向けて変位する。なお、補助部材を使用する場合、ユーザは、前記補助部材を後板部１６３の挿通孔１６３ａに挿通し、前記補助部材の先端を操作部２２ａの凹部２２ｃに係合させ、前記補助部材を介して前記操作部２２ａをプッシュする。
【００８５】
これにより、イジェクトレバー２１の作用点部２１ａに前枠部１６５が押されて、カード用トレイ１６１は、所定位置から後端部１１ｒの方向に向けて変位する。このとき、第１保持部材７５−１及び第２保持部材７５−２の第１保持用凸部７５ａ１及び第２保持用凸部７５ａ２が第１金属側壁部１５５−１及び第２金属側壁部１５５−２の第１側壁段差部１５５ａ１及び第２側壁段差部１５５ａ２と係合することによってカード用トレイ１６１はロックされているが、ユーザの手指等が発揮する力は、十分に大きいと考えられるので、ユーザがプッシュロッド２２の操作部２２ａをプッシュして押込むと、容易にロックが解除され、カード用トレイ１６１は後端部１１ｒの方向に向けて変位する。
【００８６】
そして、カード用トレイ１６１の後板部１６３は、カード用コネクタ１の挿入口１８から十分に大きく突出した状態となる。したがって、ユーザは、手指等によって後板部１６３を把持することにより、カード用トレイ１６１をカード用コネクタ１から引出して排出させることができる。
【００８７】
なお、本実施の形態においては、カード用トレイ１６１が１つのカード１０１を収容するものである場合について説明したが、前記カード用トレイ１６１は、後述する第４の実施の形態と同様に、空間部１６６に複数のカード１０１を収容することができるものであってもよい。
【００８８】
このように、本実施の形態において、カード用トレイ１６１は、幅方向に延在する前枠部１６５及び後枠部１６２と、前枠部１６５の両端と後枠部１６２の両端とを連結する側枠部１６４とを含み、下面１１１ａに配設された電極パッド１１１ｄを備えるカード１０１の側面１１２を囲繞する。そして、カード用トレイ１６１は、金属部１５１と樹脂部１６９とを含み、前枠部１６５の前端には金属部１５１の少なくとも一部が露出する。
【００８９】
これにより、カード用トレイ１６１は、カード１０１の電極パッド１１１ｄに接触しても短絡を発生させることがなく、かつ、強度が向上し、摩滅したり損傷したりすることが防止される。また、イジェクトレバー２１の作用点部２１ａが当接しても、前枠部１６５が摩滅したり損傷を受けることがない。したがって、取扱いが容易で、かつ、信頼性が高い。
【００９０】
また、金属部１５１は、側枠部１６４の外側面の少なくとも一部に露出する側壁段差部１５５ａを含む。したがって、保持部材７５の保持用凸部７５ａと係合及び係合解除が繰返されても摩滅することがないので、耐久性が高い。
【００９１】
さらに、金属部１５１は、金属から成る板材から一体的に形成された部材であり、樹脂部１６９は、金属部１５１の周囲の少なくとも一部を被覆して金属部１５１と一体化するように形成された部材である。したがって、製造が容易で製造コストが低く、かつ、強度が高く、耐久性が高い。
【００９２】
さらに、カード１０１の下面１１１ａの少なくとも一部を支持する庇部１６７を含み、金属部１５１は、カード１０１の下面１１１ａ及び側面１１２の下端近傍と接触しない。したがって、カード１０１の電極パッド１１１ｄに金属部１５１が接触して短絡を発生させることがない。
【００９３】
さらに、金属部１５１は略矩形の枠部材である。したがって、強度が非常に高く、耐久性も非常に高い。
【００９４】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００９５】
図７は本発明の第２の実施の形態におけるカード用トレイの使用状態を示す斜視図、図８は本発明の第２の実施の形態におけるカード用トレイの斜視図、図９は本発明の第２の実施の形態におけるカード用トレイの金属部に樹脂を被覆することを説明する斜視図、図１０は本発明の第２の実施の形態におけるカード用コネクタの斜視図である。なお、図７において、（ａ）はカードを収容してカード用コネクタに挿入された状態を示す図、（ｂ）はカードを収容せずにカード用コネクタに挿入された状態を示す図であり、図８において、（ａ）は前方斜め上から観た図、（ｂ）は前方斜め下から観た図であり、図９において、（ａ）は金属部のみを示す図、（ｂ）は金属部に樹脂を被覆した状態を示す図であり、図１０において、（ａ）はシェルを取付けた状態を示す図、（ｂ）はシェルを取外した状態を示す図である。
【００９６】
本実施の形態におけるカード１０１は、前記第１の実施の形態におけるカード１０１と同様であるので、その説明を省略する。
【００９７】
また、本実施の形態におけるカード用コネクタ１は、第２保持部材７５−２が、ハウジング１１の第２側壁部１１ｓ２の内側に収容されておらず、シェル６１の右側の側板部６３に一体的に形成されている点においてのみ、前記第１の実施の形態におけるカード用コネクタ１と相違する。そして、本実施の形態におけるカード用コネクタ１のその他の点の構成については、前記第１の実施の形態と同様であるので、説明を省略する。なお、図７及び１０においては、図示の都合上、イジェクトレバー２１の描画が省略されている。
【００９８】
本実施の形態におけるカード用トレイ１６１は、金属から成る板材に打抜き、折曲げ等の加工を施して一体的に形成された金属部１５１の周囲の少なくとも一部に、インサート成形乃至オーバーモールド成形と称される成形方法によって、絶縁性の樹脂を一体的に被覆することによって成形された部材である点においては、前記第１の実施の形態におけるカード用トレイ１６１と同様であるが、金属部１５１の構成を含む各部の構成のいくつかが、前記第１の実施の形態におけるカード用トレイ１６１と相違する。なお、金属部１５１が、搬送等に使用され、後の工程で切除されるキャリア部１５９に接続されて、複数個が一体的に形成される点も、前記第１の実施の形態と同様である。
【００９９】
本実施の形態における金属部１５１は、図９（ａ）に示されるように、カード１０１の電極パッド１１１ｄが露出可能な略矩形の開口１５６の四辺を囲繞する略矩形の枠部材であって、幅方向に延在する互いに平行な後金属枠部１５３及び前金属枠部１５２と、前後方向に延在し、後金属枠部１５３の両端と前金属枠部１５２の両端とを連結する第１金属側枠部１５４−１及び第２金属側枠部１５４−２とを含んでいる。そして、後金属枠部１５３、前金属枠部１５２、第１金属側枠部１５４−１及び第２金属側枠部１５４−２は、面一となるように、平板状に構成されている。
【０１００】
また、前記金属部１５１は、突条部１５３ａ及び１５２ａ、第１金属側壁部１５５−１及び第２金属側壁部１５５−２、第１前方側枠凹部１５４ａ１及び第２前方側枠凹部１５４ａ２、並びに、第１後方側枠凹部１５４ｂ１及び第２後方側枠凹部１５４ｂ２を含んでいない。なお、前記第１金属側枠部１５４−１及び第２金属側枠部１５４−２の外側縁には、第１側壁段差部１５５ａ１及び第２側壁段差部１５５ａ２が、それぞれ、形成されている。また、前金属枠部１５２の両端と第１金属側枠部１５４−１及び第２金属側枠部１５４−２との連結部分は、第１前端コーナー部１５５ｂ１及び第２前端コーナー部１５５ｂ２である。
【０１０１】
そして、前記金属部１５１の周囲の少なくとも一部に、図９（ｂ）に示されるように、インサート成形乃至オーバーモールド成形と称される成形方法によって、絶縁性の樹脂が一体的に被覆され、その後、キャリア部１５９を切除することによって、図８に示されるようなカード用トレイ１６１が得られる。該カード用トレイ１６１は、前記第１の実施の形態と同様に、空間部１６６の四辺を囲繞する略矩形の枠部材であって、幅方向に延在する互いに平行な後枠部１６２及び前枠部１６５と、前後方向に延在し、後枠部１６２の両端と前枠部１６５の両端とを連結する第１側枠部１６４−１及び第２側枠部１６４−２とを含んでいる。なお、後枠部１６２の後方には後板部１６３が接続されているが、連結部１６２ａ及び挿通孔１６３ａは省略されている。
【０１０２】
前記後板部１６３を除き、後枠部１６２、第１側枠部１６４−１、第２側枠部１６４−２及び前枠部１６５は、上面に金属部１５１が露出し、上面が面一となっている。また、後枠部１６２、第１側枠部１６４−１及び第２側枠部１６４−２は、後金属枠部１５３、第１金属側枠部１５４−１及び第２金属側枠部１５４−２の下面に被覆された樹脂部分を含んでいるが、前枠部１６５は、前金属枠部１５２のみから成り、樹脂部分を含んでいない。
【０１０３】
さらに、第１側枠部１６４−１及び第２側枠部１６４−２の外側面には、第１保持用凹部１６８−１及び第２保持用凹部１６８−２が、それぞれ、形成されている。そして、該第１保持用凹部１６８−１及び第２保持用凹部１６８−２における上端には、第１金属側枠部１５４−１及び第２金属側枠部１５４−２が露出し、特に、前記第１保持用凹部１６８−１及び第２保持用凹部１６８−２の前端には、第１側壁段差部１５５ａ１及び第２側壁段差部１５５ａ２が露出している。さらに、第１側枠部１６４−１及び第２側枠部１６４−２と前枠部１６５の両端との接続部分の外側面には、第１前端コーナー部１５５ｂ１及び第２前端コーナー部１５５ｂ２が露出している。
【０１０４】
また、第１側枠部１６４−１及び第２側枠部１６４−２の内側下端からは、庇部１６７が空間部１６６の内側に向けて延出する。前記庇部１６７は、第１金属側枠部１５４−１及び第２金属側枠部１５４−２の下面に被覆された樹脂と一体的に形成されており、その全体が樹脂から成る。したがって、空間部１６６内に収容されたカード１０１の下面１１１ａに配設された電極パッド１１１ｄは、金属部１５１に当接することがない。また、前記電極パッド１１１ｄの周縁がカード１０１の側面１１２に露出していたとしても、金属部１５１に当接することはない。
【０１０５】
カード用トレイ１６１のその他の点の構成については、前記第１の実施の形態と同様であるので、説明を省略する。また、カード用コネクタ１の動作についても、前記第１の実施の形態と同様であるので、その説明を省略する。
【０１０６】
なお、本実施の形態においては、カード用トレイ１６１が１つのカード１０１を収容するものである場合について説明したが、前記カード用トレイ１６１は、後述する第４の実施の形態と同様に、空間部１６６に複数のカード１０１を収容することができるものであってもよい。
【０１０７】
このように、本実施の形態において、カード用トレイ１６１は、金属部１５１が略矩形の枠部材である。そして、前枠部１６５、後枠部１６２及び側枠部１６４の上面には、金属部１５１が露出する。したがって、カード用トレイ１６１の強度が高く、耐久性が高く、しかも、カード１０１の電極パッド１１１ｄに金属部１５１が接触して短絡を発生させることがない。また、イジェクトレバー２１の作用点部２１ａが当接しても、前枠部１６５が摩滅したり損傷を受けたりすることがない。
【０１０８】
なお、その他の点の効果については、前記第１の実施の形態と同様であるので、その説明を省略する。
【０１０９】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【０１１０】
図１１は本発明の第３の実施の形態におけるカード用トレイの使用状態を示す斜視図、図１２は本発明の第３の実施の形態におけるカード用トレイの斜視図、図１３は本発明の第３の実施の形態におけるカード用トレイの金属部に樹脂を被覆することを説明する斜視図である。なお、図１１において、（ａ）はカードを収容してカード用コネクタに挿入された状態を示す図、（ｂ）はカードを収容せずにカード用コネクタに挿入された状態を示す図であり、図１２において、（ａ）は前方斜め上から観た図、（ｂ）は前方斜め下から観た図であり、図１３において、（ａ）は金属部のみを示す図、（ｂ）は金属部に樹脂を被覆した状態を示す図である。
【０１１１】
本実施の形態におけるカード１０１は、前記第１及び第２の実施の形態におけるカード１０１と同様であるので、その説明を省略する。
【０１１２】
また、本実施の形態におけるカード用コネクタ１は、前記第２の実施の形態におけるカード用コネクタ１と同様であるので、その説明を省略する。
【０１１３】
本実施の形態におけるカード用トレイ１６１は、前記第２の実施の形態におけるカード用トレイ１６１とほぼ同様であるが、金属部１５１の構成が前記第２の実施の形態におけるカード用トレイ１６１と相違する。
【０１１４】
本実施の形態における金属部１５１は、略矩形の枠部材ではなく、後金属枠部１５３、第１金属側枠部１５４−１及び第２金属側枠部１５４−２を含んでおらず、図１３（ａ）に示されるように、平面視において、略ワ冠状の形状を備え、カード用トレイ１６１の幅方向に延在する細長い板部材であって、前金属枠部１５２のみを含んでいる。なお、該前金属枠部１５２は、その両端から後方に向けて突出する第１突出部１５２ａ１及び第２突出部１５２ａ２を含んでいる。そして、該第１突出部１５２ａ１及び第２突出部１５２ａ２の後端外側角部が第１側壁段差部１５５ａ１及び第２側壁段差部１５５ａ２として機能する。また、前金属枠部１５２の両端と第１突出部１５２ａ１及び第２突出部１５２ａ２との連結部分は、第１前端コーナー部１５５ｂ１及び第２前端コーナー部１５５ｂ２である。
【０１１５】
そして、前記金属部１５１の周囲の少なくとも一部に、図１３（ｂ）に示されるように、インサート成形乃至オーバーモールド成形と称される成形方法によって、絶縁性の樹脂が一体的に被覆され、その後、キャリア部１５９を切除することによって、図１２に示されるようなカード用トレイ１６１が得られる。該カード用トレイ１６１は、前記第２の実施の形態と同様に、空間部１６６の四辺を囲繞する略矩形の枠部材であって、幅方向に延在する互いに平行な後枠部１６２及び前枠部１６５と、前後方向に延在し、後枠部１６２の両端と前枠部１６５の両端とを連結する第１側枠部１６４−１及び第２側枠部１６４−２と、後枠部１６２の後方に接続された後板部１６３とを含んでいる。
【０１１６】
前記第２の実施の形態におけるカード用トレイ１６１とは異なり、後枠部１６２、第１側枠部１６４−１及び第２側枠部１６４−２の上面には、金属部１５１が存在していない。なお、前記第１側枠部１６４−１及び第２側枠部１６４−２における第１保持用凹部１６８−１及び第２保持用凹部１６８−２の前端よりも前方の部分の上面には、前金属枠部１５２の第１突出部１５２ａ１及び第２突出部１５２ａ２が露出している。そして、前記第１保持用凹部１６８−１及び第２保持用凹部１６８−２の前端には、第１側壁段差部１５５ａ１及び第２側壁段差部１５５ａ２が露出している。さらに、第１側枠部１６４−１及び第２側枠部１６４−２と前枠部１６５の両端との接続部分の外側面には、第１前端コーナー部１５５ｂ１及び第２前端コーナー部１５５ｂ２が露出している。
【０１１７】
カード用トレイ１６１のその他の点の構成については、前記第２の実施の形態と同様であるので、説明を省略する。また、カード用コネクタ１の動作についても、前記第１及び第２の実施の形態と同様であるので、その説明を省略する。
【０１１８】
なお、本実施の形態においては、カード用トレイ１６１が１つのカード１０１を収容するものである場合について説明したが、前記カード用トレイ１６１は、後述する第４の実施の形態と同様に、空間部１６６に複数のカード１０１を収容することができるものであってもよい。
【０１１９】
このように、本実施の形態において、カード用トレイ１６１は、金属部１５１が幅方向に延在する板部材であって、前枠部１６５が、樹脂部１６９を含まず、金属部１５１から成る。したがって、イジェクトレバー２１の作用点部２１ａが当接しても、前枠部１６５が摩滅したり損傷を受けたりすることがない。また、カード１０１の電極パッド１１１ｄに金属部１５１が接触して短絡を発生させることがない。
【０１２０】
なお、その他の点の効果については、前記第１及び第２の実施の形態と同様であるので、その説明を省略する。
【０１２１】
次に、本発明の第４の実施の形態について説明する。なお、第１〜第３の実施の形態と同じ構造を有するものについては、同じ符号を付与することによってその説明を省略する。また、前記第１〜第３の実施の形態と同じ動作及び同じ効果についても、その説明を省略する。
【０１２２】
図１４は本発明の第４の実施の形態におけるカード用トレイの使用状態を示す斜視図、図１５は本発明の第４の実施の形態におけるカード用トレイの斜視図、図１６は本発明の第４の実施の形態におけるカード用トレイとカードとの関係を示す分解図、図１６Ａは本発明の第４の実施の形態におけるカード用トレイの金属部の変形例を示す斜視図、図１７は本発明の第４の実施の形態におけるカード用トレイのカードを収容した状態を示す斜視図、図１８は本発明の第４の実施の形態におけるカード用コネクタの分解図である。なお、図１４において、（ａ）はカード用コネクタに挿入された状態を示す図、（ｂ）はカード用コネクタに挿入される前の状態を示す図であり、図１５において、（ａ）は前方斜め上から観た図、（ｂ）は後方斜め下から観た図であり、図１７において、（ａ）は異なる種類の２枚のカードを収容した状態を示す図、（ｂ）は同じ種類の２枚のカードを収容した状態を示す図である。
【０１２３】
本実施の形態におけるカード用トレイ１６１においては、カード収容空間としての空間部１６６は、前側に位置する第１空間部１６６ａと後側に位置する第２空間部１６６ｂとに分割されている。そして、第１空間部１６６ａ及び第２空間部１６６ｂの各々にカード１０１を収容することができる。なお、第１空間部１６６ａ及び第２空間部１６６ｂには、同一種類のカード、例えば、図１７（ｂ）に示されるように、第１のカード１０１−１を２枚収容することもできるし、互いに異なる種類のカード、例えば、図１７（ａ）に示されるような第１のカード１０１−１と第２のカード１０１−２とを収容することもできる。また、第１空間部１６６ａ又は第２空間部１６６ｂのいずれか一方にのみカード１０１を収容し、他方にはカード１０１を収容しないようにすることもできる。さらに、電子機器にカード用コネクタ１以外のカード用コネクタが実装されているような場合には、ユーザは、カード１０１を収容していないカード用トレイ１６１、すなわち、空のカード用トレイ１６１をカード用コネクタ１に挿入した状態で保管することができる。
【０１２４】
なお、本実施の形態においては、第１空間部１６６ａに収容されるカード１０１は第１のカード１０１−１であり、第２空間部１６６ｂに収容されるカード１０１は第１のカード１０１−１又は第２のカード１０１−２であるものとして説明する。そして、第１のカード１０１−１は、前記第１〜第３の実施の形態において説明したカード１０１と同様に、ナノＳＩＭであるものとする。また、第２のカード１０１−２は、マイクロＳＤ（Ｒ）カードであるものとする。ＳＤ（Ｒ）カードの規格策定団体である「ＳＤカードアソシエーション」によると、マイクロＳＤ（Ｒ）カードの大きさは、前後長１５〔ｍｍ〕、幅１１〔ｍｍ〕、厚さ１．０〔ｍｍ〕と規定されている。
【０１２５】
また、本実施の形態において、カード１０１を第１のカード１０１−１と第２のカード１０１−２とに識別して説明するときには、端子配設面としての下面１１１ａ、該下面１１１ａに配設された端子部材である電極パッド１１１ｄ、前端１１１ｆ、後端１１１ｒ、側端１１１ｓ、切欠部１１１ｃ、側面１１２等のカード１０１の各部の符号に、図１６に示されるような符号「１」又は「２」を付加し、第１のカード１０１−１と第２のカード１０１−２とに識別せず、統合的に説明するときには、符号「１」又は「２」を付加しないこととする。
【０１２６】
本実施の形態におけるカード用トレイ１６１も、前記第１〜第３の実施の形態と同様に、金属から成る板材に打抜き、折曲げ等の加工を施して一体的に形成された金属部１５１と、該金属部１５１の周囲の少なくとも一部を被覆して一体化するように、インサート成形乃至オーバーモールド成形と称される成形方法によって成形された絶縁性の樹脂から成る樹脂部１６９とを含む部材である。なお、図１６においては、金属部１５１と樹脂部１６９とが別個に形成された部材であって、互いに組合されてカード用トレイ１６１を構成するかのように描画されているが、かかる描画は便宜的なものであって、必ずしも正確でない。本実施の形態におけるカード用トレイ１６１は、あくまでも、上述のように、インサート成形乃至オーバーモールド成形と称される成形方法によって、金属部１５１の周囲の少なくとも一部を被覆して一体化するように樹脂部１６９を成形することによって得られたものである。
【０１２７】
そして、本実施の形態における金属部１５１は、その少なくとも一部が前枠部１６５、後枠部１６２及び側枠部１６４によって周囲を画定された空間部１６６における上面（端子配設面としての下面１１１ａと反対側の面）を覆う略矩形の平板状の底板１５７を有する。そして、該底板１５７の少なくとも一部は、カード１０１の上面１１１ｂ（端子配設面としての下面１１１ａと反対側の面）と対向する。前記底板１５７において、幅方向（短手方向）に延在し互いに対向する二側縁近傍部は、前記第１及び第２の実施の形態における前金属枠部１５２及び後金属枠部１５３に対応し、前後方向（長手方向）に延在し互いに対向する二側縁近傍部は、前記第１及び第２の実施の形態における第１金属側枠部１５４−１及び第２金属側枠部１５４−２に対応する。なお、前記後金属枠部１５３の外側縁には、底板１５７に対してほぼ直角となるように折曲げられた突条部１５３ａが接続されている。
【０１２８】
また、前記底板１５７の前端寄り、すなわち、前金属枠部１５２寄りの部分において、前記第１金属側枠部１５４−１及び第２金属側枠部１５４−２の外側縁には、底板１５７に対してほぼ直角となるように折曲げられた第１金属側壁部１５５−１及び第２金属側壁部１５５−２が、それぞれ、接続されている。該第１金属側壁部１５５−１及び第２金属側壁部１５５−２は、第１金属側枠部１５４−１及び第２金属側枠部１５４−２における前後方向の途中から、前方に向けて延出する細長い帯状の部材である。そして、前記第１金属側壁部１５５−１及び第２金属側壁部１５５−２は、途中に形成された第１側壁段差部１５５ａ１及び第２側壁段差部１５５ａ２と、前端に形成された第１前端コーナー部１５５ｂ１及び第２前端コーナー部１５５ｂ２とを、それぞれ、備える。そして、第１前端コーナー部１５５ｂ１及び第２前端コーナー部１５５ｂ２は、前金属枠部１５２の両端前方を覆っている。また、第１前端コーナー部１５５ｂ１及び第２前端コーナー部１５５ｂ２の下端面は、底板１５７の下面とほぼ面一である。
【０１２９】
なお、図１６Ａに示される変形例のように、底板１５７の前端縁、すなわち、前金属枠部１５２の前端縁に、前金属枠部１５２に対してほぼ直角となるように下方に向けて折曲げられた金属前壁部１５２ｂを接続することもできる。該金属前壁部１５２ｂによって、前金属枠部１５２の強度を向上させることができる。この場合、カード用トレイ１６１の前端１６１ｆ、すなわち、前枠部１６５の前端に金属前壁部１５２ｂの前面が露出する。
【０１３０】
さらに、前記底板１５７の後端寄り、すなわち、後金属枠部１５３寄りの部分において、前記第１金属側枠部１５４−１及び第２金属側枠部１５４−２の外側縁には、底板１５７に対してほぼ直角となるように折曲げられた第１金属後方側壁部１５５ｃ１及び第２金属後方側壁部１５５ｃ２が、それぞれ、接続されている。なお、図に示される例において、底板１５７には、該底板１５７を板厚方向に貫通する複数の開口１５７ａが形成されているが、該開口１５７ａの形状、大きさ、箇所、数等は任意に変更することができる。また、前記開口１５７ａを省略することもできる。
【０１３１】
本実施の形態において、カード用トレイ１６１は、カード１０１を収容するカード収容空間としての空間部１６６の四辺を囲繞する略矩形の枠部材であって、幅方向に延在する互いに平行な後枠部１６２及び前枠部１６５と、前後方向に延在し、後枠部１６２の両端と前枠部１６５の両端とを連結する第１側枠部１６４−１及び第２側枠部１６４−２とを含んでいる。さらに、前記カード用トレイ１６１は、前記後枠部１６２及び前枠部１６５と平行に延在し、左右の側枠部１６４を連結して空間部１６６を第１空間部１６６ａと第２空間部１６６ｂとに区分する中間枠部１６２ｂを含んでいる。前記第１空間部１６６ａ及び第２空間部１６６ｂは、その上面が底板１５７によって塞（ふさ）がれ、その下面が開放されている。
【０１３２】
なお、一方の側枠部１６４、具体的には、第２側枠部１６４−２と前枠部１６５とが連結される角部、及び、第２側枠部１６４−２と中間枠部１６２ｂとが連結される角部には、凸部としての傾斜部１６２ｃが、それぞれ、形成されている。該傾斜部１６２ｃは、カード姿勢規制部として機能し、カード１０１が正規の姿勢である場合には、第１空間部１６６ａ及び第２空間部１６６ｂ内へのカード１０１の収容を許容するが、カード１０１が非正規の姿勢である場合には、第１空間部１６６ａ及び第２空間部１６６ｂ内へカード１０１を収容することができないようにする。
【０１３３】
図１５（ａ）に示されるように、後板部１６３を除き、後枠部１６２、側枠部１６４及び底板１５７は、その上面が互いに面一である。なお、前枠部１６５の上面は、底板１５７の前金属枠部１５２に対応する部分によって覆われ、底板１５７の前端の少なくとも一部は前枠部１６５の前端に露出している。また、図１５（ｂ）に示されるように、後枠部１６２及び側枠部１６４は、その下面が互いに面一である。なお、側枠部１６４の下面に露出する第１金属側壁部１５５−１及び第２金属側壁部１５５−２並びに第１金属後方側壁部１５５ｃ１及び第２金属後方側壁部１５５ｃ２の下端は、前記側枠部１６４の下面と面一であることが望ましい。さらに、前枠部１６５の下面は、第１空間部１６６ａ及び第２空間部１６６ｂ内に収容されて保持されたカード１０１の下面１１１ａよりも上方に位置することが望ましい。これにより、カード用トレイ１６１がカード用コネクタ１に挿入される際に、前枠部１６５が端子５１に接触することが防止される。また、中間枠部１６２ｂの下面は、第１空間部１６６ａ内に収容されて保持されたカード１０１の下面１１１ａよりも上方に位置することが望ましく、さらに、中間枠部１６２ｂの下面から上面へ挿入方向に向けて傾斜面を備えることが望ましい。これにより、第１空間１６６ａ内にカード１０１が収容され、かつ、第２空間部１６６ｂ内にカード１０１が収容されていない場合でも、カード用トレイ１６１がカード用コネクタ１に抜去される際に、カード１０１又は中間枠部１６２ｂが端子５１に接触して端子５１を下方へ変位させることによって、端子５１を変形させることが防止される。
【０１３４】
また、底板１５７の下面において、第１金属側壁部１５５−１及び第２金属側壁部１５５−２並びに第１金属後方側壁部１５５ｃ１及び第２金属後方側壁部１５５ｃ２の境界部には、樹脂部１６９の一部として第１前方島部１６４ａ１及び第２前方島部１６４ａ２並びに第１後方島部１６４ｂ１及び第２後方島部１６４ｂ２が形成されている。そして、第１前方島部１６４ａ１及び第２前方島部１６４ａ２並びに第１後方島部１６４ｂ１及び第２後方島部１６４ｂ２の下面は、底板１５７の下面よりも下方に位置する。したがって、空間部１６６内に収容されたカード１０１の上面１１１ｂは、絶縁性の樹脂から成る第１前方島部１６４ａ１及び第２前方島部１６４ａ２並びに第１後方島部１６４ｂ１及び第２後方島部１６４ｂ２の下面に当接しても、金属から成る底板１５７に当接することはない。
【０１３５】
さらに、後枠部１６２、側枠部１６４、前枠部１６５及び中間枠部１６２ｂにおける空間部１６６の内側に向いた側面、すなわち、内側面は、すべて絶縁性の樹脂で覆われており、金属部１５１は露出していない。したがって、空間部１６６内に収容されたカード１０１の下面１１１ａに配設された電極パッド１１１ｄの周縁がカード１０１の側面１１２に露出していたとしても、金属から成る金属部１５１に当接することはない。
【０１３６】
カード用トレイ１６１のその他の点の構成については、前記第１の実施の形態と同様であるので、説明を省略する。
【０１３７】
本実施の形態におけるカード用コネクタ１のハウジング１１の底壁部１１ｂは、図１８に示されるように、接続端子としての第１端子５１−１、第２端子５１−２及び第３端子５１−３の露出部を収容保持する第１端子保持凹部１１ｃ１、第２端子保持凹部１１ｃ２及び第３端子保持凹部１１ｃ３を備える。該第１端子保持凹部１１ｃ１、第２端子保持凹部１１ｃ２及び第３端子保持凹部１１ｃ３は、底壁部１１ｂを板厚方向に貫通する開口である。
【０１３８】
そして、第１端子５１−１及び第３端子５１−３は、ハウジング１１の前後方向に延在する列を成すように、並んで配設されている。図に示される例では、３つずつ、２列に並ぶように配設されている。前記第１端子５１−１及び第３端子５１−３の各々は、少なくとも一部が底壁部１１ｂに埋込まれ、また、少なくとも接触部５１ｃ１及び５１ｃ３が第１端子保持凹部１１ｃ１及び第３端子保持凹部１１ｃ３内に露出し、はんだ付部としてのソルダーテール部５１ｄ１及び５１ｄ３が底壁部１１ｂの下面に露出する。前記接触部５１ｃ１及び５１ｃ３は、第１端子５１−１及び第３端子５１−３の腕部が備えるばね性によって上方に向けて付勢され、カード用コネクタ１内に保持されたカード用トレイ１６１内の第１のカード１０１−１の電極パッド１１１ｄ１の各々に接触する。また、前記ソルダーテール部５１ｄ１及び５１ｄ３は、図示されない基板に形成された信号線、コンタクトパッド、端子等に、はんだ付等によって電気的に接続される。
【０１３９】
また、第２端子５１−２は、ハウジング１１の幅方向に延在する１本の列を成すように、並んで配設されている。前記第２端子５１−２は、少なくとも一部が底壁部１１ｂに埋込まれ、また、少なくとも接触部５１ｃ２が第２端子保持凹部１１ｃ２内に露出し、はんだ付部としてのソルダーテール部５１ｄ２が底壁部１１ｂの下面に露出する。前記接触部５１ｃ２は、第２端子５１−２の腕部が備えるばね性によって上方に向けて付勢され、カード用コネクタ１内に保持されたカード用トレイ１６１内の第２のカード１０１−２の電極パッド１１１ｄ２の各々に接触する。また、前記ソルダーテール部５１ｄ２は、前記基板に形成された信号線、コンタクトパッド、端子等に、はんだ付等によって電気的に接続される。前記第１端子５１−１、第２端子５１−２及び第３端子５１−３の数及び配置の形態は、カード１０１の電極パッド１１１ｄの数及び配置の形態に適合するように、適宜変更される。
【０１４０】
なお、本実施の形態において、トレイ排出ロッド収容部１１ｇは、第１側壁部１１ｓ１ではなく、第２側壁部１１ｓ２の内側に形成され、プッシュロッド２２は、第２側壁部１１ｓ２に沿って前後方向にスライドするようになっている。
【０１４１】
カード用コネクタ１のその他の点の構成については、前記第１の実施の形態と同様であるので、説明を省略する。
【０１４２】
次に、本実施の形態におけるカード用コネクタ１の動作について説明する。まず、カード用トレイ１６１を挿入する場合の動作について説明する。
【０１４３】
まず、ユーザは、図１４（ｂ）に示されるように、手指等によって、カード１０１が収容されたカード用トレイ１６１をカード用コネクタ１の挿入口１８の後方に位置させた後、カード用トレイ１６１を前記挿入口１８に相対的に接近させ、該挿入口１８からハウジング１１とシェル６１との間に形成されるカード挿入空間内に挿入する。
【０１４４】
ここで、カード用トレイ１６１には、図１７（ｂ）に示されるように、第１のカード１０１−１を２枚収容することもできるし、図１７（ａ）に示されるように、第１のカード１０１−１と第２のカード１０１−２とを収容することもできる。また、第１空間部１６６ａ又は第２空間部１６６ｂのいずれか一方にのみカード１０１を収容し、他方にはカード１０１を収容しないようにすることもできる。いずれの場合でも、カード１０１は、その上面１１１ｂが底板１５７に対向し、電極パッド１１１ｄが配設された下面１１１ａが空間部１６６の下面に露出するような姿勢で、空間部１６６内に収容される。なお、ここでは、図１７（ａ）に示されるように、第１のカード１０１−１が第１空間部１６６ａ内に収容され、第２のカード１０１−２が第２空間部１６６ｂ内に収容されているものとして、説明する。
【０１４５】
カード用トレイ１６１は、底板１５７が上を向き、すなわち、シェル６１の天板部６２と向合い、前枠部１６５がシェル６１の前端部６１ｆの方を向くような姿勢、すなわち、正規姿勢で挿入される。そのため、カード用トレイ１６１内に収容されているカード１０１は、下面１１１ａが開放された状態で下を向き、端子５１が配設されているハウジング１１の底壁部１１ｂと向合うような姿勢となる。
【０１４６】
続いて、ユーザがカード用トレイ１６１をプッシュして更に押込むと、図１４（ａ）に示されるように、カード用トレイ１６１がカード用コネクタ１の所定位置に到達する。すると、カード用コネクタ１の、第１端子５１−１の接触部５１ｃ１が第１のカード１０１−１の電極パッド１１１ｄ１と接触し、第２端子５１−２の接触部５１ｃ２が第２のカード１０１−２の電極パッド１１１ｄ２と接触して導通する。
【０１４７】
カード用トレイ１６１を挿入する場合のその他の点の動作については、前記第１の実施の形態と同様であるので、説明を省略する。また、カード用トレイ１６１をカード用コネクタ１から排出させる動作についても、前記第１の実施の形態と同様であるので、説明を省略する。
【０１４８】
なお、本実施の形態においては、カード用トレイ１６１が空間部１６６に複数のカード１０１を収容することができるものである場合について説明したが、前記カード用トレイ１６１は、前記第１〜第３の実施の形態と同様に、空間部１６６に１つのカード１０１のみを収容することができるものであってもよい。
【０１４９】
このように、本実施の形態において、カード用トレイ１６１は、金属部１５１が、幅方向及び前後方向に延在する板部材であって、前枠部１６５、後枠部１６２及び側枠部１６４によって周囲を画定された空間部１６６におけるカード１０１の下面１１１ａと反対側の面の少なくとも一部を覆っている。したがって、カード用トレイ１６１の強度が高く、耐久性が高く、しかも、カード１０１の電極パッド１１１ｄに金属部１５１が接触して短絡を発生させることがない。
【０１５０】
また、金属部１５１の少なくとも一部は、カード１０１の上面１１１ｂと対向する。さらに、カード用トレイ１６１は、複数のカード１０１を収容可能である。
【０１５１】
なお、その他の点の効果については、前記第１〜第３の実施の形態と同様であるので、その説明を省略する。
【０１５２】
また、本発明は前記実施の形態に限定されるものではなく、本発明の趣旨に基づいて種々変形させることが可能であり、それらを本発明の範囲から排除するものではない。
【産業上の利用可能性】
【０１５３】
本発明は、カード保持部材及びカード用コネクタに適用することができる。
【符号の説明】
【０１５４】
１    カード用コネクタ
１１    ハウジング
１１ａ    奥壁部
１１ｂ    底壁部
１１ｃ    端子保持凹部
１１ｃ１    第１端子保持凹部
１１ｃ２    第２端子保持凹部
１１ｃ３    第３端子保持凹部
１１ｄ    ソルダーテール用開口
１１ｆ、６１ｆ    前端部
１１ｇ    トレイ排出ロッド収容部
１１ｈ１    第１フランジ部
１１ｈ２    第２フランジ部
１１ｊ    スイッチ保持凹部
１１ｒ、６１ｒ    後端部
１１ｓ１    第１側壁部
１１ｓ２    第２側壁部
１３    掛止突起
１８    挿入口
２１    イジェクトレバー
２１ａ    作用点部
２１ｂ    力点部
２１ｃ    支点部
２２    プッシュロッド
２２ａ    操作部
２２ｂ    係合部
２２ｃ    凹部
５１    端子
５１−１    第１端子
５１−２    第２端子
５１−３    第３端子
５１ａ    基部
５１ｂ    接触腕部
５１ｃ、５１ｃ１、５１ｃ２、５１ｃ３、５７ｃ、５８ｂ    接触部
５１ｄ、５１ｄ１、５１ｄ２、５１ｄ３、６４    ソルダーテール部
５７    第１接点部材
５７ｂ    本体部
５８    第２接点部材
６１    シェル
６２    天板部
６３    側板部
６３ａ    掛止開口
７５−１    第１保持部材
７５−２    第２保持部材
７５ａ１    第１保持用凸部
７５ａ２    第２保持用凸部
１０１    カード
１０１−１    第１のカード
１０１−２    第２のカード
１１１ａ１、１１１ａ２    下面
１１１ｂ    上面
１１１ｃ、１１１ｃ１、１１１ｃ２    切欠部
１１１ｄ１、１１１ｄ２    電極パッド
１１１ｆ、１１１ｆ１、１１１ｆ２、１６１ｆ    前端
１１１ｒ、１１１ｒ１、１１１ｒ２    後端
１１１ｓ、１１１ｓ１、１１１ｓ２    側端
１１２、１１２−１、１１２−２    側面
１５１    金属部
１５２    前金属枠部
１５２ａ、１５３ａ    突条部
１５２ａ１    第１突出部
１５２ａ２    第２突出部
１５２ｂ    金属前壁部
１５３    後金属枠部
１５４−１    第１金属側枠部
１５４−２    第２金属側枠部
１５４ａ１    第１前方側枠凹部
１５４ａ２    第２前方側枠凹部
１５４ｂ１    第１後方側枠凹部
１５４ｂ２    第２後方側枠凹部
１５５−１    第１金属側壁部
１５５−２    第２金属側壁部
１５５ａ１    第１側壁段差部
１５５ａ２    第２側壁段差部
１５５ｂ１    第１前端コーナー部
１５５ｂ２    第２前端コーナー部
１５５ｃ１    第１金属後方側壁部
１５５ｃ２    第２金属後方側壁部
１５６、１５７ａ    開口
１５７、９６２    底板
１５８    接続部
１５９    キャリア部
１５９ａ、１６６    空間部
１６１、９６１    カード用トレイ
１６２    後枠部
１６２ａ    連結部
１６２ｂ    中間枠部
１６２ｃ    傾斜部
１６３    後板部
１６３ａ    挿通孔
１６４−１    第１側枠部
１６４−２    第２側枠部
１６４ａ１    第１前方島部
１６４ａ２    第２前方島部
１６４ｂ１    第１後方島部
１６４ｂ２    第２後方島部
１６５    前枠部
１６６ａ    第１空間部
１６６ｂ    第２空間部
１６７    庇部
１６８−１    第１保持用凹部
１６８−２    第２保持用凹部
１６９    樹脂部
９６４    側壁
９６８ａ    第１の凹部
９６８ｂ    第２の凹部
【要約】
【課題】短絡が生じることがなく、摩滅したり損傷を受けることがなく、取扱いが容易で、信頼性が高くなるようにする。
【解決手段】幅方向に延在する前枠部及び後枠部と、前記前枠部の両端と前記後枠部の両端とを連結する側枠部とを含み、端子配設面に配設された端子部材を備えるカード１０１の側面１１２を囲繞（にょう）するカード保持部材であって、金属部と樹脂部とを含み、前記前枠部の前端には前記金属部の少なくとも一部が露出する。
【選択図】図１【図１】
0005986255.tif 000002
【図２】
0005986255.tif 000003
【図３】
0005986255.tif 000004
【図４】
0005986255.tif 000005
【図４Ａ】
0005986255.tif 000006
【図５】
0005986255.tif 000007
【図６】
0005986255.tif 000008
【図７】
0005986255.tif 000009
【図８】
0005986255.tif 000010
【図９】
0005986255.tif 000011
【図１０】
0005986255.tif 000012
【図１１】
0005986255.tif 000013
【図１２】
0005986255.tif 000014
【図１３】
0005986255.tif 000015
【図１４】
0005986255.tif 000016
【図１５】
0005986255.tif 000017
【図１６】
0005986255.tif 000018
【図１６Ａ】
0005986255.tif 000019
【図１７】
0005986255.tif 000020
【図１８】
0005986255.tif 000021
【図１９】
0005986255.tif 000022